(57)【要約】【課題】簡単に画像の複写を行うことができる画像複写装置を提供する。【解決手段】装置本体１２には、複数種類のカードスロット１８ａ〜１８ｄが備えられている。複写元とするメモリカードをカードスロット１８ａ〜１８ｄに装着し、複写実行を指示すると、複写元のメモリカードに格納されている画像が読み出され、内部メモリ２４に記録される。内部メモリ２４に記録された画像は、複写指示に応じて光ディスクメディアスロット２０ａに装着された光ディスクメディア６０に一括して記録される。【選択図】      図１
2007104295.tif 000002
【特許請求の範囲】
【請求項１】
装置本体と、
前記装置本体に設けられた内部記憶手段と、
前記装置本体に設けられ、複写元となる記憶メディアが装着される複数の複写元記憶メディア装着部と、
前記装置本体に設けられ、複写先となる記憶メディアが装着される複写先記憶メディア装着部と、
前記複写元記憶メディア装着部に装着された各記憶メディアから画像を読み出して前記内部記憶手段に記録し、該内部記憶手段に記録した画像を一括して前記複写先記憶メディア装着部に装着された記憶メディアに記録する記録制御手段と、
からなることを特徴とする画像複写装置。
【請求項２】
複写元となる記憶メディアに記録されている全画像の容量を検出する容量検出手段と、
前記内部記憶手段の残容量を検出する残容量検出手段と、
前記容量検出手段と前記残容量検出手段の検出結果に基づいて前記内部記憶手段への全画像の記録の可否を判定する判定手段と、
前記判定手段で前記内部記憶手段への全画像の記録不可能と判定された場合に画像を記録する方法として、記録可能な画像までを記録する第１の方法と、画像をリサイズ又は圧縮して記録する第２の方法とを選択させる記録方法選択手段と、
を備え、前記記録制御手段は、前記記録方法選択手段で第１の方法が選択されると、前記内部記憶手段の残容量がなくなるまで、複写元の記憶メディアに記録されている画像を前記内部記憶手段に記録し、第２の方法が選択されると、前記複写元の記憶手段に記録されている画像をリサイズ又は圧縮して前記内部記憶手段に記録することを特徴とする請求項１に記載の画像複写装置。
【請求項３】
前記記録制御手段は、前記内部記憶手段の記憶領域に複写元の記憶メディアごとに所定のフォルダ名のフォルダを作成し、該フォルダに複写元の記憶メディアに格納されている画像を記録することを特徴とする請求項１又は２に記載の画像複写装置。
【請求項４】
前記複写先記憶メディア装着部に記録メディアとして光ディスクメディアが装着されることを特徴とする請求項１、２又は３に記載の画像複写装置。
【発明の詳細な説明】
【技術分野】
【０００１】
本発明は画像複写装置に係り、特に複数の記憶メディアから一括して複写先の記憶メディアに画像の複写が可能な画像複写装置に関する。
【背景技術】
【０００２】
デジタルカメラでは、撮影により得られた画像を着脱可能なメモリカードに記録するのが一般的である。
【０００３】
しかし、メモリカードの容量は少なく、旅行など一度にたくさんの画像を撮影する場合には、多数枚のメモリカードが必要となるという問題があった。
【０００４】
そこで、このような不具合を解消すべく、特許文献１では、メモリカードに記録されている画像を直接ＣＤ−Ｒに複写できる装置を提案している。同様に特許文献２では、メモリカードに記録されている画像を直接ＺＩＰディスク（商品名）に複写できる装置を提案している。また、メモリカードに記録されている画像を内蔵するハードディスク装置（ＨＤＤ）に記録できる装置も提案されている。
【特許文献１】特開２０００−３１１１０６号公報
【特許文献２】特開２００２−１７０３２１号公報
【発明の開示】
【発明が解決しようとする課題】
【０００５】
ところで、親しい者同士で旅行などに出掛けると、参加者各自がデジタルカメラを持参しているような場合があるが、このような場合に、各参加者が自分のデジタルカメラで撮影した画像を他の参加者に配布しようとすると、従来は、上記複写装置やパソコン等で画像をＣＤ−Ｒ等の記憶メディアに記録して配布しなければならなかった。そして、この作業は、大変手間がかかるという問題があった。
【０００６】
また、従来の複写装置は、一対一の複写を前提としたものであるため、複数のデジタルカメラで撮影した画像を交換し合う場合、記憶メディアを何回も抜き差しして複写する必要があった。このため、大変手間がかかり、また、事故により画像が消失してしまうという場合もあった。
【０００７】
また、内蔵するＨＤＤに画像を記録する装置の場合、記憶メディアからＨＤＤへの記録は一括して行うことができるが、ＨＤＤから記憶メディアへの記録は一括して行うことができず、複写のたびに画像を個別に選択して複写しなければならなかった。このため、複写作業に大変手間がかかるという問題があった。
【０００８】
本発明は、このような事情に鑑みてなされたもので、簡単に画像の複写を行うことができる画像複写装置を提供することを目的とする。
【課題を解決するための手段】
【０００９】
請求項１に記載の発明は、前記目的を達成するために、装置本体と、前記装置本体に設けられた内部記憶手段と、前記装置本体に設けられ、複写元となる記憶メディアが装着される複数の複写元記憶メディア装着部と、前記装置本体に設けられ、複写先となる記憶メディアが装着される複写先記憶メディア装着部と、前記複写元記憶メディア装着部に装着された各記憶メディアから画像を読み出して前記内部記憶手段に記録し、該内部記憶手段に記録した画像を一括して前記複写先記憶メディア装着部に装着された記憶メディアに記録する記録制御手段と、からなることを特徴とする画像複写装置を提供する。
【００１０】
請求項１に記載の発明によれば、複数の複写元記憶メディア装着部に装着された記憶メディアから画像が読み出されて、内部記憶手段に記録され、その内部記憶手段に記録された画像が、一括して複写先記憶メディア装着部に装着された記憶メディアに記録される。これにより、複数の記憶メディアに記録されている画像を簡単に複写先の記憶メディアに記録することができる。
【００１１】
請求項２に記載の発明は、前記目的を達成するために、複写元となる記憶メディアに記録されている全画像の容量を検出する容量検出手段と、前記内部記憶手段の残容量を検出する残容量検出手段と、前記容量検出手段と前記残容量検出手段の検出結果に基づいて前記内部記憶手段への全画像の記録の可否を判定する判定手段と、前記判定手段で前記内部記憶手段への全画像の記録不可能と判定された場合に画像を記録する方法として、記録可能な画像までを記録する第１の方法と、画像をリサイズ又は圧縮して記録する第２の方法とを選択させる記録方法選択手段と、を備え、前記記録制御手段は、前記記録方法選択手段で第１の方法が選択されると、前記内部記憶手段の残容量がなくなるまで、複写元の記憶メディアに記録されている画像を前記内部記憶手段に記録し、第２の方法が選択されると、前記複写元の記憶手段に記録されている画像をリサイズ又は圧縮して前記内部記憶手段に記録することを特徴とする請求項１に記載の画像複写装置を提供する。
【００１２】
請求項２に記載の発明によれば、内部記憶メディアの残容量が足りないときに記録方法を選択して記録することができる。すなわち、内部記憶メディアの残容量がなくなるまで可能な限り記録する方法（第１の方法）と、画像を圧縮又はリサイズして記録する方法（第２の方法）を選択して記録することができる。これにより、状況に応じて記録方法を選択することができ、使い勝手が向上する。
【００１３】
請求項３に記載の発明は、前記目的を達成するために、前記記録制御手段は、前記内部記憶手段の記憶領域に複写元の記憶メディアごとに所定のフォルダ名のフォルダを作成し、該フォルダに複写元の記憶メディアに格納されている画像を記録することを特徴とする請求項１又は２に記載の画像複写装置を提供する。
【００１４】
請求項３に記載の発明によれば、内部記憶手段に記録する際、複写元の記憶メディアに応じて所定のフォルダ名のフォルダが作成され、そのフォルダに複写元の記憶メディアに格納された画像が記録される。これにより、ファイル名の重複による、複写エラーを有効に防止することができる。
【００１５】
請求項４に記載の発明は、前記目的を達成するために、前記複写先記憶メディア装着部に記録メディアとして光ディスクメディアが装着されることを特徴とする請求項１、２又は３に記載の画像複写装置を提供する。
【００１６】
請求項４に記載の発明によれば、複写先の記憶メディアとして安価な光ディスクメディアを使用することができる。
【発明の効果】
【００１７】
本発明に係る画像複写装置によれば、簡単に画像の複写、交換を行うことができる。
【発明を実施するための最良の形態】
【００１８】
以下、添付図面に従って本発明に係る画像複写装置を実施するための最良の形態について説明する。
【００１９】
図１は、本発明に係る画像複写装置の一実施形態の電気的構成を示すブロック図である。
【００２０】
本実施の形態の画像複写装置１０は、複数のメモリカードから画像データを読み出し、光ディスクメディアに一括して記録する装置として機能し、その装置本体１２には、システムコントローラ１４、操作部１６、複数のカードリーダ／ライタ１８Ａ〜１８Ｄ、光ディスクドライブ２０、ＵＳＢインターフェイス２２、内部メモリ２４、バスコントローラ２６、ＬＣＤコントローラ２８、ＬＣＤ３０、電池３２、ＤＣ／ＤＣコンバータ３４、レギュレータ３６等が備えられている。
【００２１】
システムコントローラ１４は、ＣＰＵ、ＲＯＭ、ＲＡＭを含み、操作部１６からの入力に従って画像複写装置全体の動作を統括制御する。このシステムコントローラ１４のＲＯＭには、ＣＰＵが実行する制御プログラム及び制御必要な各種データが格納されており、ＣＰＵは、このＲＯＭに格納された制御プログラムをＲＡＭに展開し、ＲＡＭを作業領域としながら、制御プログラムを逐次実行して、各部の動作を制御する。
【００２２】
操作部１６は、複写実行ボタンやＯＫボタン、キャンセルボタン、十字ボタン等の各種操作ボタンで構成されており、その操作情報をシステムコントローラ１４に出力する。
【００２３】
各カードリーダ／ライタ１８Ａ〜１８Ｄは、メモリカード５０Ａ〜５０Ｄを装着するためのカードスロット１８ａ〜１８ｄを備えており、そのカードスロット１８ａ〜１８ｄに装着されたメモリカード５０Ａ〜５０Ｄに対してデータの読み書きを行う。なお、本実施の形態では、四種類の異なるメモリカード（コンパクトフラッシュ（商品名、以下「ＣＦカード」という）、ＳＤカード（商品名）、メモリースティック（商品名、以下「ＭＳカード」という）、スマートメディア（商品名、以下「ＳＭカード」という））が装着できるようにされているものとする。
【００２４】
光ディスクドライブ２０は、光ディスクメディア６０を装着するための光ディスクメディアスロット２０ａを備えており、その光ディスクメディアスロット１８ａに装着された光ディスクメディアに対してデータの読み書きを行う。なお、本実施の形態では、光ディスクメディア６０として、ＣＤ−Ｒ、ＣＤ−ＲＷ、ＤＶＤ±Ｒ、ＤＶＤ±ＲＷが装着できるようにされているものとする。
【００２５】
ＵＳＢインターフェイス２２は、ＵＳＢコネクタ２２ａを備えており、このＵＳＢコネクタ２２ａを介して接続されたパソコン、プリンタ、ＵＳＢメモリ等の外部機器とデータの送受信を行う。なお、本実施の形態の画像複写装置１０は、このＵＳＢインターフェイス２２を介してパソコンに接続すると、パソコンのメモリカードリーダ／ライタとして機能するとともに、外付けの光ディスクドライブとして機能する。
【００２６】
内部メモリ２４は、画像データの一時記憶領域として利用され、たとえば、ＥＥＰＲＯＭ等のフラッシュメモリで構成される。なお、この他、マイクロドライブ（商品名）等の小型のＨＤＤを内蔵メモリとして用いてもよい。
【００２７】
バスコントローラ２６は、システムコントローラ１４からの指令に従い各カードリーダ／ライタ１８Ａ〜１８Ｅのカードスロット１８ａ〜１８ｄに装着されたメモリカード５０Ａ〜５０Ｄへのデータ転送、内部メモリ２６へのデータ転送、及び、ＵＳＢインターフェイス２８を介して接続された外部機器へのデータ転送を制御する。
【００２８】
ＬＣＤコントローラ２８は、システムコントローラ１４からの指令に従いＬＣＤ３０の表示制御を行い、ＬＣＤ３０に所定の操作情報等を表示させる。
【００２９】
電池３２は、上記のように画像複写装置１０の電源として用いられ、たとえば、１．５Ｖの電池が二本用いられる。電池４２の電圧は、ＤＣ／ＤＣコンバータ４４で所定電圧（たとえば、３．３Ｖ）に昇圧され、画像複写装置１０の各部に供給される。
【００３０】
なお、本実施の形態の画像複写装置１０は、ＵＳＢコネクタ２２ａを介してパソコンに接続すると、そのパソコンから供給される電力で動作するように構成されている。
【００３１】
すなわち、ＵＳＢコネクタ２２ａを介して画像複写装置１０がパソコンに接続されると、電池３２からの電力供給がスイッチ３８によって断ち切られ、ＵＳＢコネクタ２２ａを介して供給される電力に切り替わる。この場合、ＵＳＢコネクタ２２ａを介して供給される電圧は、レギュレータ３６によって一定電圧（たとえば、３．３Ｖ）に調整され、画像複写装置１０の各部に供給される。
【００３２】
以上のように構成された本実施の形態の画像複写装置１０の作用は次のとおりである。
【００３３】
上記のように本実施の形態の画像複写装置１０は、複数のメモリカード５０Ａ〜５０Ｄから画像データを読み出し、光ディスクメディア６０に一括して記録する装置として動作する。
【００３４】
ユーザは、複写元となるメモリカード５０Ａ〜５０Ｄを対応するカードスロット１８ａ〜１８ｄに装着するとともに、複写先となる光ディスクメディア６０を光ディスクメディアスロット２０ａに装着し、複写実行ボタンを押して、画像の複写を行う。
【００３５】
図２は、本実施の形態の画像複写装置１０による画像複写の処理手順を示すフローチャートである。
【００３６】
まず、複写元となるメモリカードを対応するカードスロットに装着する（ステップＳ１０）。
【００３７】
システムコントローラ１４は、操作部１６からの入力に基づいて複写実行指示の有無を判定する（ステップＳ１１）。なお、ここでの複写実行指示は、たとえば操作部１６に設けられた複写実行ボタンを押下して行うものとする。操作部１６は、複写実行ボタンが押下されると、システムコントローラ１４に複写実行指示を入力する。
【００３８】
システムコントローラ１４は、操作部１６から複写実行の指示ありと判定すると、カードスロット１８ａ〜１８ｄに装着されたメモリカード５０Ａ〜５０Ｄから画像データを読み出し、内部メモリ２４に記録する。この際、システムコントローラ１４は、画像データを読み出したメモリカードに対応するフォルダ名のフォルダを作成し、そのフォルダに読み出した画像データを格納する。たとえば、図３に示すように、ＣＦカードから画像を読み出した場合、「ＣＦ−＊」というフォルダ名のフォルダを内部メモリ２４の記憶領域に作成し、そのフォルダに読み出した画像データを格納する。なお、フォルダ名の＊の部分は、連続番号であって、１回の処理ごとにカウントアップされる。すなわち、一回目の読み出しならば、ＣＦ−１となり、二回目の読み出しならば、ＣＦ−２となる。
【００３９】
同様にＳＤカードから画像を読み出した場合は「ＳＤ−＊」、ＭＳカードから画像を読み出した場合は「ＳＤ−＊」、ＳＭカードから画像を読み出した場合は、「ＭＳ−＊」というフォルダ名のフォルダが内部メモリ２４の記憶領域に作成され、そのフォルダに読み出した画像が格納される。
【００４０】
カードスロットに装着された、メモリカードからの画像データの読み出しが完了すると、システムコントローラ１４は、次のメモリカードの読み出しを行うか否か問い合わせるメッセージをＬＣＤ３０に表示させる。
【００４１】
ユーザは、このメッセージに応じて次に複写するメモリカードの有無を操作部１６から入力する。システムコントローラ１４は、この操作部１６からの入力に基づいて複写の対象とする全てのメモリカードの読み出しが完了したか否かを判定する（ステップＳ１３）。
【００４２】
ここで、操作部１６から次に複写するメモリカードなしと入力されると、システムコントローラ１４は、複写の対象とする全てのメモリカードからの画像の読み出しが完了したものと判断し、ステップＳ１４の処理に移行する。
【００４３】
一方、操作部１６から次に複写するメモリカードありと入力されると、システムコントローラ１４は、ステップＳ１０に戻り、上記の手順で次のメモリカードから画像の読み出しを行う。
【００４４】
このように、複写の対象とするメモリカードから順次画像データの読み出しを行い、全てのメモリカードから画像データの読み出しが完了したところで、次のステップＳ１４の処理に移行する。すなわち、複写する光ディスクメディア６０の枚数入力処理に移行する（ステップＳ１４）。この処理は、たとえば、ＬＣＤ３０と操作部１６とを利用して行われ、ＬＣＤ３０に表示される複写枚数を操作部１６のボタン操作（たとえば、十字ボタンの上下操作）で増減させることにより行われる。
【００４５】
複写枚数の入力が終了すると、ユーザは、複写先とする光ディスクメディア６０を光ディスクメディアスロット２０ａに装着する（ステップＳ１５）。そして、操作部１６から複写実行指示を入力する。なお、複写実行の指示は、たとえば、操作部１６に設けられた複写実行ボタンを押下して行うものとする。
【００４６】
システムコントローラ１４は、この操作部１６からの入力に基づいて複写実行指示の有無を判定する（ステップＳ１６）。そして、複写実行が指示されたと判定すると、内部メモリ２４に記録された画像を読み出し、光ディスクドライブ２０に装着された光ディスクメディア６０に一括して記録する。
【００４７】
複写が完了すると、システムコントローラ１４は、指定された枚数分の複写が完了したか否か判定する（ステップＳ１７）。指定された枚数分の複写が完了していないと判定すると、システムコントローラ１４は、ステップＳ１５の処理に戻り、次の光ディスクメディア６０への複写処理を実行する。この場合、ＬＣＤ３０には、光ディスクメディアの交換を促すメッセージが表示され、このメッセージに応じてユーザは、光ディスクメディアの交換を行う。
【００４８】
このように、指定された枚数分の複写処理を行い、全ての複写が完了すると、システムコントローラ１４は処理を終了する。この際、システムコントローラ１４は、ＬＣＤ３０に処理が完了した旨のメッセージを表示させる。
【００４９】
以上説明したように、本実施の形態の画像複写装置１０によれば、単純なボタン操作のみで複数のメモリカードに記録されている画像を光ディスクメディアに一括して記録することができる。
【００５０】
また、各メモリカードから読み出した画像は、メモリカードごとに所定のフォルダに格納されるため、同じファイル名の画像が上書きされて消失するような不具合も発生することがなく、安全に複写作業を行うことができる。
【００５１】
なお、本実施の形態で示したフォルダ名の付与方法は一例であり、他の規則に従ったフォルダ名を付与するようにしてもよい。
【００５２】
また、本実施の形態では、複数のメモリカードから光ディスクメディアに画像を複写する場合を例に説明したが、複写元と複写先は、これに限定されるものではない。たとえば、複写元を光ディスクメディアとしてもよいし、複写先をメモリカードとしてもよい。
【００５３】
なお、装置本体に光ディスクドライブを備えた構成では、複写先として安価な記憶メディアを利用することができるという利点があり、また、光ディスクドライブを省いた構成にした場合は、装置本体をコンパクトにすることができるという利点がある。
【００５４】
また、複写先と複写元を任意に選択できるようにしてもよい。すなわち、メモリカード相互間、及び、メモリカードと光ディスクメディアの相互間で画像の複写できるように構成してもよい。この場合、メモリカードから読み出した画像をメモリカード又は光ディスクメディアに複写することもできるし、光ディスクメディアから読み出した画像を光ディスクメディア又はメモリカードに複写することもできる。
【００５５】
また、ＵＳＢコネクタ２２ａにＵＳＢメモリを接続した場合には、このＵＳＢメモリを複写元／複写先に設定することもできる。同様にＵＳＢコネクタ２２ａにＵＳＢ接続式のＨＤＤや光学式ドライブ等の外部記憶装置（いわゆる外付け式の記憶装置）を接続した場合には、これらの機器を複写元／複写先に設定することもできる。
【００５６】
なお、本実施の形態では、通信インターフェイスとしてＵＳＢを用いているが、通信インターフェイスは、これに限定されるものではない。たとえば、この他にＩＥＥＥ１３９４やＲＳ−２３２Ｃ等の通信インターフェイスを用いてもよい。この場合、ＵＳＢインターフェイスと共に設けてもよい。
【００５７】
また、このような有線の通信インターフェイスではなく、赤外線通信や無線ＬＡＮ、Ｂｌｕｅｔｏｏｔｈ等の無線の通信インターフェイスを設けてもよい。この場合、有線と無線の両方の通信インターフェイスを設けてもよい。
【００５８】
また、本実施の形態では、装着可能なメモリカードとして、ＣＦカード、ＳＤカード、ＭＳカード、ＳＭカードを例示したが、装置本体１２に用意するカードスロットは、これらのものに限定されるものではなく、他のメモリカードのカードスロットを用意してもよい（たとえば、ＰＣカードスロット等）。
【００５９】
また、本実施の形態では、種類の異なるメモリカードのカードスロットを装置本体１２に設けているが、同種のカードスロットを複数設けてもよい。
【００６０】
さらに、本実施の形態では、複写先の記憶メディアとして、光ディスクメディアを例示しているが、ＭＯやＦＤ、ＭＤ等のディスクメディアを複写先の記録メディアとして用いてもよい。この場合、これらのディスクメディアに対応したディスクドライブを装置本体１２に設置する。
【００６１】
なお、複写元のメモリカードに格納されている画像の容量が内部メモリ２４の残容量を超えている場合は、次のように処理するものとする。
【００６２】
図４は、複写元のメモリカードに格納されている画像の容量が内部メモリ２４の残容量を超えている場合の画像複写装置１０の処理動作の手順を示すフローチャートである。
【００６３】
複写元となるメモリカードが対応するカードスロットに装着され、複写の実行が指示されると、システムコントローラ１４は、複写元のメモリカードに記憶されている全画像データの容量Ｘを検出するとともに（ステップＳ２０）、内部メモリ２４の残容量Ｙを検出する（ステップＳ２１）。そして、その検出結果に基づいて複写の可否を判定する（ステップＳ２２）。すなわち、複写元のメモリカードに記憶されている全画像データの容量Ｘが、内部メモリ２４の残容量Ｙを超えているか否かを判定し、複写の可否を判定する。
【００６４】
ここで、複写可能と判定した場合は、複写元のメモリカードに格納されている画像データを順に読み出し、内部メモリ２４に記録する（ステップＳ２３）。そして、全画像データが記録されたところで、処理を終了する。
【００６５】
一方、複写元のメモリカードの全画像データの容量が、内部メモリ２４の残容量を超えており、複写不可能と判定した場合は、ＬＣＤ３０にエラーメッセージを表示する（ステップＳ３０）。このエラーメッセージは、たとえば、「内部メモリの容量不足です。複写を継続しますか？」というように、内部メモリ２４の空き容量が足りない旨と、継続して複写作業を行うか否かを問い合わせるメッセージを表示する。
【００６６】
ユーザは、このメッセージに応じて継続して複写作業を行うか否かを判断し、操作部１６から複写作業の継続の要否を入力する。システムコントローラ１４は、この操作部１６からの入力に基づいて複写を継続するか否か判定する（ステップＳ３１）。
【００６７】
そして、複写を継続しないと判定すると、ＬＣＤ３０に複写作業を中断した旨のメッセージを表示させ（ステップＳ３２）、処理を終了する。
【００６８】
一方、複写を継続すると判定すると、システムコントローラ１４は、ＬＣＤ３０に複写方法の選択画面を表示させる（ステップＳ３３）。
【００６９】
ここで、本実施の形態の画像複写装置１０では、内部メモリ２４の空き容量が足りない場合の複写方法として、メモリカードに格納されている画像を順次読み出し、そのまま内部メモリ２４の残容量がなくなるまで記録する方法（第１の方法）と、メモリカードに格納されている画像を順次読み出し、所定容量以上の画像をリサイズしながら内部メモリ２４の残容量がなくなるまで記録する方法（第２の方法）の二つの方法が選択できるようにされている。
【００７０】
ユーザは、ＬＣＤ３０の表示に従い操作部１６を操作して、複写方法の選択を行う（ステップＳ３４）。システムコントローラ１４は、この操作部１６からの入力に基づいて第１の方法が選択されたか否か判定する（ステップＳ３５）。
【００７１】
この結果、第１の方法が選択されたと判定すると、システムコントローラ１４は、複写元のメモリカードに記録されている画像を一つずつ順に読み出し（ステップＳ４０）、内部メモリ２４に記録する（ステップＳ４１）。そして、一つの画像を記録するたびに内部メモリ２４の空き容量の有無を判定し（ステップＳ４２）、空き容量なしと判定すると、途中終了のメッセージ（たとえば、「内部メモリが一杯になりました」）を表示させて（ステップＳ４３）、処理を終了する。
【００７２】
一方、第２の方法が選択されたと判定すると、システムコントローラ１４は、複写元のメモリカードに記録されている画像を一つずつ読み出し（ステップＳ５０）、読み出した画像の容量を検出する。そして、読み出した画像の容量（ファイルサイズ）が、規定の容量以上であるか否か判定する（ステップＳ５１）。ここでは、たとえば１Ｍバイト以上であるか否か判定するものとする。
【００７３】
この結果、読み出した画像の容量が１Ｍバイト以上と判定すると、システムコントローラ１４は、その画像を所定のサイズにリサイズし、１Ｍバイトに縮小する（ステップＳ５２）。そして、そのリサイズした画像を内部メモリ２４に記録する（ステップＳ５３）。
【００７４】
一方、読み出した画像の容量が１Ｍバイト未満と判定すると、システムコントローラ１４は、読み出した画像をそのまま内部メモリ２４に記録する（ステップＳ５３）。
【００７５】
このように、１Ｍバイト以上の画像は、所定サイズにリサイズし、１Ｍバイトの画像として内部メモリ２４に記録し、１Ｍバイト未満の画像は、そのまま内部メモリ２４に記録する。そして、一つの画像を記録するたびに全画像データの複写が完了したか否か判定し（ステップＳ５４）、全画像データの複写が完了したと判定すると、処理を終了する。
【００７６】
一方、全画像データの複写が完了していないと判定すると、システムコントローラ１４は、内部メモリ２４の空き容量の有無を判定し（ステップＳ５５）、空き容量なしと判定すると、途中終了のメッセージ（たとえば、「内部メモリが一杯になりました」）を表示させて（ステップＳ４３）、処理を終了する。
【００７７】
このように、本実施の形態の画像複写装置１０では、複写元のメモリカードに格納されている画像の容量が、内部メモリ２４の残容量を超えている場合、複写方法を選択できるので、ユーザの目的、用途に応じた複写を行うことができる。すなわち、画像を劣化させずに複写する場合は、第１の方法で複写し、一枚でも多くの画像を複写する場合は、第２の方法で複写することにより、目的、用途に応じた複写を行うことができる。
【００７８】
なお、上記の例では、画像をリサイズする場合の判断基準として、画像の容量を用いているが、画像をリサイズする場合の判断基準は、これに限定されるものではない。この他、たとえばＶＧＡ、ＳＶＧＡ、ＸＧＡ等に代表される画素数（画像サイズ）に基づいて画像をリサイズするようにしてもよい。すなわち、所定の画素数（画像サイズ）以上の画像をリサイズして複写するようにする。
【００７９】
また、ユーザが画像をリサイズする基準を設定できるようにしてもよい。たとえば、ユーザが、画像をリサイズする場合の容量、画素数を設定できるようにする。これにより、よりユーザの目的、用途に応じた複写を行うことができるようになる。
【００８０】
また、本実施の形態では、１Ｍバイト以上の画像を１Ｍバイトになるようにリサイズしているが、リサイズするサイズの設定は、これに限定されるものではなく、内部メモリ２４の残量に応じてリサイズするサイズを変えるようにしてもよい。
【００８１】
また、本実施の形態では、画像をリサイズすることにより、画像の容量を減らして、複写可能な枚数を増やしているが、画像を圧縮することにより、画像の容量を減らして、複写するようにしてもよい。この場合において、圧縮率をユーザが任意に設定できるようにしてもよいし、内部メモリ２４の残容量に応じて自動で圧縮率を変えるようにしてもよい。
【００８２】
なお、画像複写装置１０は、屋外でも使用可能にすることから、電源は電池を用いることが好ましい。この場合、二次電池を用いてもよい。
【図面の簡単な説明】
【００８３】
【図１】画像複写装置の電気的構成を示すブロック図
【図２】画像複写装置による画像複写の処理手順を示すフローチャート
【図３】フォルダ構造を示す図
【図４】複写元のメモリカードに格納されている画像の容量が内部メモリの残容量を超えている場合の画像複写装置の処理動作の手順を示すフローチャート
【符号の説明】
【００８４】
１０…画像複写装置、１２…装置本体、１４…システムコントローラ、１６…操作部、１８Ａ〜１８Ｄ…カードリーダ／ライタ、１８ａ〜１８ｄ…カードスロット、２０…光ディスクドライブ、２０ａ…光ディスクメディアスロット、２２…ＵＳＢインターフェイス２２ａ…ＵＳＢコネクタ、２４…内部メモリ、２６…バスコントローラ、２８…ＬＣＤコントローラ、３０…ＬＣＤ、３２…電池、３４…ＤＣ／ＤＣコンバータ、３６…レギュレータ、５０Ａ〜５０Ｄ…メモリカード、６０…光ディスクメディア
【図１】
2007104295.tif 000003
【図２】
2007104295.tif 000004
【図３】
2007104295.tif 000005
【図４】
2007104295.tif 000006